(57)【要約】【課題】ストレス計測中のジョブ受付時に、一律にストレス計測を優先した場合や一律にジョブの実行を優先した場合に生じる問題を解消した画像処理装置等を提供する。【解決手段】心電位の測定中であってストレス計測に必要な複数周期分のストレス計測用データの取得が完了していない状態でジョブが受け付けられたとき、現在計測中の周期のストレス計測の進行状態とジョブの受付タイミングとを比較し、ジョブの受付タイミングから現在計測中の周期のストレス計測の完了までの時間が、予め設定された第１の設定値内のジョブの受け付けについては、現在計測中の周期のストレス計測の完了後にジョブを実行させ、第１の設定値を超えるジョブの受け付けについては、ストレス計測を中断しジョブを優先して実行させ、ジョブの実行完了後に、中断した周期の最初からストレス計測を再開させる制御を行う。【選択図】図８
2018030276.tif 000002
【特許請求の範囲】
【請求項１】
ジョブを受け付けるジョブ受付手段と、
前記ジョブ受付手段により受け付けたジョブを実行するジョブ実行手段と、
ユーザーの心電位を測定して周期性を有するストレス計測用データを取得する測定手段と、
前記測定手段による心電位の測定中であってストレス計測に必要な複数周期分のストレス計測用データの取得が完了していない状態で、前記ジョブ受付手段でジョブが受け付けられたとき、現在計測中の周期のストレス計測の進行状態とジョブの受付タイミングとを比較し、ジョブの受付タイミングから現在計測中の周期のストレス計測の完了までの時間が、予め設定された第１の設定値内のジョブの受け付けについては、現在計測中の周期のストレス計測の完了後に前記ジョブ実行手段にジョブを実行させ、第１の設定値を超えるジョブの受け付けについては、ストレス計測を中断し前記ジョブ実行手段にジョブを優先して実行させ、ジョブの実行完了後に、中断した周期の最初からストレス計測を再開させる第１の制御を行う制御手段と、
を備えたことを特徴とする画像処理装置。
【請求項２】
前記制御手段は、最終周期のストレス計測用データの取得が完了するタイミングとジョブの受付タイミングとを比較し、ジョブの受付タイミングから最終周期のストレス計測用データの取得完了までの時間が、予め設定された第２の設定値内のジョブの受け付けについては、最終周期のストレス計測用データの取得完了後に前記ジョブ実行手段にジョブを実行させ、前記第２の設定値を超えるジョブの受け付けについては、前記第１の制御を行う請求項１に記載の画像処理装置。
【請求項３】
前記測定手段によって取得される周期性を有するストレス計測用データは、心電位の測定において検出されるＲ波の間隔の変動周期であり、
前記制御手段は、Ｒ波の間隔の測定結果から正弦波近似により変動周期における１周期分を予測するとともに、予測された１周期分またはその整数倍の値を用いて、現在計測中の周期のストレス計測の完了タイミングまたは最終周期のストレス計測用データの取得完了タイミングを決定する請求項１または２に記載の画像処理装置。
【請求項４】
ジョブを受け付けるジョブ受付ステップと、
前記ジョブ受付ステップにより受け付けたジョブを実行するジョブ実行ステップと、
ユーザーの心電位を測定して周期性を有するストレス計測用データを取得する測定ステップと、
前記測定ステップによる心電位の測定中であってストレス計測に必要な複数周期分のストレス計測用データの取得が完了していない状態で、前記ジョブ受付ステップでジョブが受け付けられたとき、現在計測中の周期のストレス計測の進行状態とジョブの受付タイミングとを比較し、ジョブの受付タイミングから現在計測中の周期のストレス計測の完了までの時間が、予め設定された第１の設定値内のジョブの受け付けについては、現在計測中の周期のストレス計測の完了後に前記ジョブ実行ステップでジョブを実行させ、第１の設定値を超えるジョブの受け付けについては、ストレス計測を中断し前記ジョブ実行ステップでジョブを優先して実行させ、ジョブの実行完了後に、中断した周期の最初からストレス計測を再開させる第１の制御を行う制御ステップと、
を備えたことを特徴とする画像処理装置におけるストレス計測方法。
【請求項５】
前記制御ステップでは、最終周期のストレス計測用データの取得が完了するタイミングとジョブの受付タイミングとを比較し、ジョブの受付タイミングから最終周期のストレス計測用データの取得完了までの時間が、予め設定された第２の設定値内のジョブの受け付けについては、最終周期のストレス計測用データの取得完了後に前記ジョブ実行ステップでジョブを実行させ、前記第２の設定値を超えるジョブの受け付けについては、前記第１の制御を行う請求項４に記載の画像処理装置におけるストレス計測方法。
【請求項６】
前記測定ステップによって取得される周期性を有するストレス計測用データは、心電位の測定において検出されるＲ波の間隔の変動周期であり、
前記制御ステップでは、Ｒ波の間隔の測定結果から正弦波近似により変動周期における１周期分を予測するとともに、予測された１周期分またはその整数倍の値を用いて、現在計測中の周期のストレス計測の完了タイミングまたは最終周期のストレス計測用データの取得完了タイミングを決定する請求項４または５に記載の画像処理装置におけるストレス計測方法。
【請求項７】
ジョブを受け付けるジョブ受付ステップと、
前記ジョブ受付ステップにより受け付けたジョブを実行するジョブ実行ステップと、
ユーザーの心電位を測定して周期性を有するストレス計測用データを取得する測定ステップと、
前記測定ステップによる心電位の測定中であってストレス計測に必要な複数周期分のストレス計測用データの取得が完了していない状態で、前記ジョブ受付ステップでジョブが受け付けられたとき、現在計測中の周期のストレス計測の進行状態とジョブの受付タイミングとを比較し、ジョブの受付タイミングから現在計測中の周期のストレス計測の完了までの時間が、予め設定された第１の設定値内のジョブの受け付けについては、現在計測中の周期のストレス計測の完了後に前記ジョブ実行ステップでジョブを実行させ、第１の設定値を超えるジョブの受け付けについては、ストレス計測を中断し前記ジョブ実行ステップでジョブを優先して実行させ、ジョブの実行完了後に、中断した周期の最初からストレス計測を再開させる第１の制御を行う制御ステップと、
を画像処理装置のコンピュータに実行させるためのストレス計測プログラム。
【請求項８】
前記制御ステップでは、最終周期のストレス計測用データの取得が完了するタイミングとジョブの受付タイミングとを比較し、ジョブの受付タイミングから最終周期のストレス計測用データの取得完了までの時間が、予め設定された第２の設定値内のジョブの受け付けについては、最終周期のストレス計測用データの取得完了後に前記ジョブ実行ステップでジョブを実行させ、前記第２の設定値を超えるジョブの受け付けについては、前記第１の制御を行う処理を前記コンピュータに実行させる請求項７に記載のストレス計測プログラム。
【請求項９】
前記測定ステップによって取得される周期性を有するストレス計測用データは、心電位の測定において検出されるＲ波の間隔の変動周期であり、
前記制御ステップでは、Ｒ波の間隔の測定結果から正弦波近似により変動周期における１周期分を予測するとともに、予測された１周期分またはその整数倍の値を用いて、現在計測中の周期のストレス計測の完了タイミングまたは最終周期のストレス計測用データの取得完了タイミングを決定する処理を前記コンピュータに実行させる請求項７または８に記載のストレス計測プログラム。
【発明の詳細な説明】
【技術分野】
【０００１】
この発明は、ユーザーのストレスを計測可能な画像処理装置、同装置におけるストレス計測方法及びストレス計測プログラムに関する。
【背景技術】
【０００２】
労働安全衛生法の一部を改正する法律が２０１５年１２月１日から施行され、従業員に対するストレスチェックの実施が従業員数が一定以上の事業所で義務化された。
【０００３】
このような背景もあり、例えば、コピー機能、プリンタ機能、ファクシミリ機能、スキャン機能等の複数の機能を有する多機能デジタル複合機であるＭＦＰ（Multi Function Peripheral）等の画像処理装置にストレス計測装置を組み込み、計測結果を操作パネルに表示したり、印刷やメール送信等ができる機能を提供する開発が行われている。
【０００４】
ストレス計測は、既に公知のように、ユーザーが所定位置に配置された２つの電極に手指を置いて心電位を測定することにより行われる。具体的には、図１０（Ａ）に示すように心臓の一心拍に対応して生じるピーク値であるＲ波を検出するとともに、同図（Ｂ）に示すように心電位の心拍間隔（Ｒ波間隔）を測定し、Ｒ波間隔周期の変動周波数を分析して、低周波（ＬＦ）：０．０５〜０．１５Ｈｚ、高周波（ＨＦ）：０．１５〜０．４Ｈｚのパワースペクトラム積算の比よりストレスを計測するものである。
【０００５】
図１１（Ａ）に、横軸を時間、縦軸をＲ波間隔とした心電位の測定結果をグラフにて示す。この測定結果を周波数解析すると、同図（Ｂ）に示すように、周期性を有する低周波（ＬＦ）に高周波（ＨＦ）が重畳された波形が得られる。矢印で示す長さがそれぞれ低周波１周期と高周波１周期である。低周波は正弦波に近似しており、時間の経過と共に各周期が繰り返される。そして、低周波と高周波のパワースペクトラム積算の比よりストレスが計測される。
【先行技術文献】
【特許文献】
【０００６】
【特許文献１】特開２００１−１０４２７３号公報
【特許文献２】特開２００８−１４２４６９号公報
【発明の概要】
【発明が解決しようとする課題】
【０００７】
ところで、心電位は指先の生体微小電圧信号(波高値約１ｍＶ)を検出することで把握するが、微小電圧信号であるため、画像処理装置のノイズ発生部品( 主にエンジン系の周波数の低い部品)を通常動作させるだけで、Ｓ／Ｎ比が悪化し正確な測定ができなくなってしまう。特に印字中のエンジン動作ノイズは、ストレス計測（心電位測定）に大きなノイズ影響を与えてしまうという問題がある。
【０００８】
また、Ｒ波間隔周期の変動周波数のパワースぺクトラムを測定しなくてはならないため、心電位測定は最長２０秒程度となる低周波の少なくとも１周期は連続して測定しなければならない。
【０００９】
図１２（Ａ）に示すように、ノイズの影響を避けるため、ストレス計測（心電位測定）中にタイミングＴ１でジョブを受け付けた場合に、一律にストレス計測（心電位測定）を優先すると、ジョブの実行が図１２（Ｂ）に示すようにストレス計測（心電位測定）の終了タイミングＴ４以降になり、ジョブの受け付けから実行完了までの時間が長くなってしまう。逆に、図１３（Ａ）に示すように、ストレス計測（心電位測定）中にタイミングＴ１でジョブを受け付けた場合、測定を継続しながらジョブを実行すると、同図（Ｂ）に示すように、印刷エンジン稼働後の領域Ｓ１で測定したデータはノイズの影響を受けるため測定を中止せざるを得ず、またタイミングＴ１で一律に心電位測定を中断してジョブの実行を優先した場合は、心電位測定は低周波の少なくとも１周期を連続して測定しなければならないという上記制約から、ジョブの受付前に得られた低周波の１周期に満たない測定データ（領域Ｓ２のデータ）が無駄になってしまうという問題がある。
【００１０】
なお、上記特許文献１には、体重の測定後に個人身体情報を入力可能とする体重計付き体脂肪測定装置が開示されている。
【００１１】
また特許文献２には、測定した体重と、インピーダンス測定結果と、性別、人種、年齢、身長、体格指数、体脂肪率及び体脂肪量のうちの少なくとも一つを変数とし、それらを演算してウエストの周囲径を算出するに際し、入力がない変数は予め記憶した定数を用いて算出する技術が開示されている。
【００１２】
しかし、特許文献１及び２に記載の技術は、ストレス計測中にジョブを受け付けた場合に関する技術ではなく、ストレス計測中にジョブを受け付けたときに、一律にストレス計測を優先した場合や、一律にジョブの実行を優先した場合の上記問題に対して解決策を提供しうるものではなかった。
【００１３】
この発明は、このような技術的背景に鑑みてなされたものであって、ストレス計測中にジョブを受け付けたときに、一律にストレス計測を優先した場合に生じる、ジョブの実行完了までの時間が長くなってしまうという問題や、一律にジョブの実行を優先した場合に生じる、ジョブの受付前に得られた低周波の１周期に満たない測定データが無駄になってしまうという問題を解消した画像処理装置、同装置におけるストレス計測方法、ストレス計測プログラムを提供することを課題とする。
【課題を解決するための手段】
【００１４】
上記課題は、以下の手段によって解決される。
（１）ジョブを受け付けるジョブ受付手段と、前記ジョブ受付手段により受け付けたジョブを実行するジョブ実行手段と、ユーザーの心電位を測定して周期性を有するストレス計測用データを取得する測定手段と、前記測定手段による心電位の測定中であってストレス計測に必要な複数周期分のストレス計測用データの取得が完了していない状態で、前記ジョブ受付手段でジョブが受け付けられたとき、現在計測中の周期のストレス計測の進行状態とジョブの受付タイミングとを比較し、ジョブの受付タイミングから現在計測中の周期のストレス計測の完了までの時間が、予め設定された第１の設定値内のジョブの受け付けについては、現在計測中の周期のストレス計測の完了後に前記ジョブ実行手段にジョブを実行させ、第１の設定値を超えるジョブの受け付けについては、ストレス計測を中断し前記ジョブ実行手段にジョブを優先して実行させ、ジョブの実行完了後に、中断した周期の最初からストレス計測を再開させる第１の制御を行う制御手段と、を備えたことを特徴とする画像処理装置。
（２）前記制御手段は、最終周期のストレス計測用データの取得が完了するタイミングとジョブの受付タイミングとを比較し、ジョブの受付タイミングから最終周期のストレス計測用データの取得完了までの時間が、予め設定された第２の設定値内のジョブの受け付けについては、最終周期のストレス計測用データの取得完了後に前記ジョブ実行手段にジョブを実行させ、前記第２の設定値を超えるジョブの受け付けについては、前記第１の制御を行う前項１に記載の画像処理装置。
（３）前記測定手段によって取得される周期性を有するストレス計測用データは、心電位の測定において検出されるＲ波の間隔の変動周期であり、前記制御手段は、Ｒ波の間隔の測定結果から正弦波近似により変動周期における１周期分を予測するとともに、予測された１周期分またはその整数倍の値を用いて、現在計測中の周期のストレス計測の完了タイミングまたは最終周期のストレス計測用データの取得完了タイミングを決定する前項１または２に記載の画像処理装置。
（４）ジョブを受け付けるジョブ受付ステップと、前記ジョブ受付ステップにより受け付けたジョブを実行するジョブ実行ステップと、ユーザーの心電位を測定して周期性を有するストレス計測用データを取得する測定ステップと、前記測定ステップによる心電位の測定中であってストレス計測に必要な複数周期分のストレス計測用データの取得が完了していない状態で、前記ジョブ受付ステップでジョブが受け付けられたとき、現在計測中の周期のストレス計測の進行状態とジョブの受付タイミングとを比較し、ジョブの受付タイミングから現在計測中の周期のストレス計測の完了までの時間が、予め設定された第１の設定値内のジョブの受け付けについては、現在計測中の周期のストレス計測の完了後に前記ジョブ実行ステップでジョブを実行させ、第１の設定値を超えるジョブの受け付けについては、ストレス計測を中断し前記ジョブ実行ステップでジョブを優先して実行させ、ジョブの実行完了後に、中断した周期の最初からストレス計測を再開させる第１の制御を行う制御ステップと、を備えたことを特徴とする画像処理装置におけるストレス計測方法。
（５）前記制御ステップでは、最終周期のストレス計測用データの取得が完了するタイミングとジョブの受付タイミングとを比較し、ジョブの受付タイミングから最終周期のストレス計測用データの取得完了までの時間が、予め設定された第２の設定値内のジョブの受け付けについては、最終周期のストレス計測用データの取得完了後に前記ジョブ実行ステップでジョブを実行させ、前記第２の設定値を超えるジョブの受け付けについては、前記第１の制御を行う前項４に記載の画像処理装置におけるストレス計測方法。
（６）前記測定ステップによって取得される周期性を有するストレス計測用データは、心電位の測定において検出されるＲ波の間隔の変動周期であり、前記制御ステップでは、Ｒ波の間隔の測定結果から正弦波近似により変動周期における１周期分を予測するとともに、予測された１周期分またはその整数倍の値を用いて、現在計測中の周期のストレス計測の完了タイミングまたは最終周期のストレス計測用データの取得完了タイミングを決定する前項４または５に記載の画像処理装置におけるストレス計測方法。
（７）ジョブを受け付けるジョブ受付ステップと、前記ジョブ受付ステップにより受け付けたジョブを実行するジョブ実行ステップと、ユーザーの心電位を測定して周期性を有するストレス計測用データを取得する測定ステップと、前記測定ステップによる心電位の測定中であってストレス計測に必要な複数周期分のストレス計測用データの取得が完了していない状態で、前記ジョブ受付ステップでジョブが受け付けられたとき、現在計測中の周期のストレス計測の進行状態とジョブの受付タイミングとを比較し、ジョブの受付タイミングから現在計測中の周期のストレス計測の完了までの時間が、予め設定された第１の設定値内のジョブの受け付けについては、現在計測中の周期のストレス計測の完了後に前記ジョブ実行ステップでジョブを実行させ、第１の設定値を超えるジョブの受け付けについては、ストレス計測を中断し前記ジョブ実行ステップでジョブを優先して実行させ、ジョブの実行完了後に、中断した周期の最初からストレス計測を再開させる第１の制御を行う制御ステップと、を画像処理装置のコンピュータに実行させるためのストレス計測プログラム。
（８）前記制御ステップでは、最終周期のストレス計測用データの取得が完了するタイミングとジョブの受付タイミングとを比較し、ジョブの受付タイミングから最終周期のストレス計測用データの取得完了までの時間が、予め設定された第２の設定値内のジョブの受け付けについては、最終周期のストレス計測用データの取得完了後に前記ジョブ実行ステップでジョブを実行させ、前記第２の設定値を超えるジョブの受け付けについては、前記第１の制御を行う処理を前記コンピュータに実行させる前項７に記載のストレス計測プログラム。
（９）前記測定ステップによって取得される周期性を有するストレス計測用データは、心電位の測定において検出されるＲ波の間隔の変動周期であり、前記制御ステップでは、Ｒ波の間隔の測定結果から正弦波近似により変動周期における１周期分を予測するとともに、予測された１周期分またはその整数倍の値を用いて、現在計測中の周期のストレス計測の完了タイミングまたは最終周期のストレス計測用データの取得完了タイミングを決定する処理を前記コンピュータに実行させる前項７または８に記載のストレス計測プログラム。
【発明の効果】
【００１５】
前項（１）及び（４）に記載の発明によれば、心電位の測定中であってストレス計測に必要な複数周期分のストレス計測用データの取得が完了していない状態で、ジョブが受け付けられたとき、現在計測中の周期のストレス計測の進行状態とジョブの受付タイミングとを比較し、ジョブの受付タイミングから現在計測中の周期のストレス計測の完了までの時間が、予め設定された第１の設定値内のジョブの受け付けについては、現在計測中の周期のストレス計測の完了後にジョブが実行され、第１の設定値を超えるジョブの受け付けについては、ストレス計測が中断されてジョブが優先して実行され、ジョブの実行完了後に、中断した周期の最初からストレス計測が再開される。従って、ストレス計測（心電位測定）が一律に優先される場合に較べてジョブの完了までの時間を短くできると共に、ジョブの実行が一律に優先された場合に較べて、無駄になってしまう測定データを少なくすることができる。
【００１６】
前項（２）及び（５）に記載の発明によれば、最終周期のストレス計測用データの取得が完了するタイミングとジョブの受付タイミングとを比較し、ジョブの受付タイミングから最終周期のストレス計測用データの取得完了までの時間が、予め設定された第２の設定値内のジョブの受け付けについては、最終周期のストレス計測用データの取得完了後にジョブが実行される。つまり、ストレス計測用データの取得完了までにあと少しの場合は、ストレス計測を優先するから、ストレス計測を行っているユーザーはストレス測定結果を早期に取得することができる。一方、第２の設定値を超えるジョブの受け付けについては、第１の制御が行われるから、ストレス計測がむやみに継続されて、受け付けられたジョブの実行が遅れるのを防止することができる。
【００１７】
前項（３）及び（６）に記載の発明によれば、心電位の測定において検出されるＲ波の間隔の測定結果から正弦波近似により変動周期における１周期分が予測されるとともに、予測された１周期分またはその整数倍の値を用いて、現在計測中の周期のストレス計測の完了タイミングまたは最終周期のストレス計測用データの取得完了タイミングが決定されるから、現在計測中の周期のストレス計測の完了タイミングまたは最終周期のストレス計測用データの取得完了タイミングを容易に決定することができる。
【００１８】
前項（７）に記載の発明によれば、測定ステップによる心電位の測定中であってストレス計測に必要な複数周期分のストレス計測用データの取得が完了していない状態でジョブが受け付けられたとき、現在計測中の周期のストレス計測の進行状態とジョブの受付タイミングとを比較し、ジョブの受付タイミングから現在計測中の周期のストレス計測の完了までの時間が、予め設定された第１の設定値内のジョブの受け付けについては、現在計測中の周期のストレス計測の完了後にジョブを実行させ、第１の設定値を超えるジョブの受け付けについては、現在計測中の周期のストレス計測を中断しジョブを優先して実行させ、ジョブの実行完了後に、中断した周期の最初からストレス計測を再開させる第１の制御処理を、画像処理装置のコンピュータに実行させることができる。
【００１９】
前項（８）に記載の発明によれば、制御ステップでは、最終周期のストレス計測用データの取得が完了するタイミングとジョブの受付タイミングとを比較し、ジョブの受付タイミングから最終周期のストレス計測用データの取得完了までの時間が、予め設定された第２の設定値内のジョブの受け付けについては、最終周期のストレス計測用データの取得完了後に前記ジョブ実行ステップでジョブを実行させ、前記第２の設定値を超えるジョブの受け付けについては、前記第１の制御を行う処理を画像処理装置のコンピュータに実行させることができる。
【００２０】
前項（９）に記載の発明によれば、制御ステップでは、Ｒ波の間隔の測定結果から正弦波近似により変動周期における１周期分を予測するとともに、予測された１周期分またはその整数倍の値を用いて、現在計測中の周期のストレス計測の完了タイミングまたは最終周期のストレス計測用データの取得完了タイミングを決定する処理を、画像処理装置のコンピュータに実行させることができる。
【図面の簡単な説明】
【００２１】
【図１】この発明の一実施形態に係る画像処理装置の構成を示すブロック図である。
【図２】ユーザーが画像処理装置にログインしたときに表示される初期画面を示す図である。
【図３】心電位の測定中の表示画面を示す図である。
【図４】心電位測定の開始後、低周波１周期分の途中でプリントジョブを受け付けたときの、ジョブ優先の場合の動作を説明するための図である。
【図５】心電位測定の開始後、低周波１周期分の途中でプリントジョブを受け付けたときの、測定優先の場合の動作を説明するための図である。
【図６】この発明の他の実施形態を説明するための図である。
【図７】現在測定中の周期の測定完了タイミングの決定方法についての説明図である。
【図８】画像処理装置が、図４及び図５で説明した処理を実施する場合の動作を示すフローチャートである。
【図９】画像処理装置が、図６で説明した処理を実施する場合の動作を示すフローチャートである。
【図１０】心電位の測定についての説明図である。
【図１１】心電位の測定結果を周波数分析したときの波形図である。
【図１２】心電位測定中にジョブを受け付けた場合の従来の課題を説明するための図である。
【図１３】同じく心電位測定中にジョブを受け付けた場合の従来の課題を説明するための図である。
【発明を実施するための形態】
【００２２】
以下、この発明の実施形態を図面に基づいて説明する。
【００２３】
図１は、この発明の一実施形態に係る画像処理装置の構成を示すブロック図である。
【００２４】
画像処理装置１として、この実施形態では、プリンタ機能、ファクシミリ機能、スキャン機能等の機能を備えた多機能デジタル画像形成装置である前述したＭＦＰが用いられている。以下、画像処理装置をＭＦＰともいう。
【００２５】
図１に示すように、ＭＦＰ１は、制御部１００、読み取り部１１０、画像形成部１２０、定着部１３０、記憶部１４０、表示部１５０、入力部１６０、心電位測定部１７０、認証部１８０、ネットワークインターフェース（Ｉ／Ｆ）部１９０等を備え、互いにシステムバス２００を介して接続されている。
【００２６】
制御部１００は、機能的に、全体制御部１０１とジョブ制御部１０２とストレス測定制御部１０３を備えている。全体制御部１０１はＭＦＰ１の全体を統括的に制御する。ジョブ制御部１０２は、コピー機能、プリンタ機能、スキャン機能、ファクシミリ機能等を制御してジョブの受け付けや実行に関する制御を行う。ストレス測定制御部１０３は、心電位測定部１７０による測定結果に基づいて、ストレス度を算出する。
【００２７】
制御部１００は、ＣＰＵ１００ａ、ＲＯＭ１００ｂ、ＲＡＭ１００ｃを備えている。ＣＰＵ１００ａはＲＯＭ１００ｂ等に保存されているプログラムを実行することにより、ＭＦＰ１の全体を制御する。ＲＯＭ１００ｂは、ＣＰＵ１００ａが実行するプログラムやその他のデータを格納する。ＲＡＭ１００ｃは、ＣＰＵ１００ａがプログラムを実行する際の作業領域となるものであり、プログラムやプログラムを実行する際のデータ等を一時的に保存する。なお、全体制御部１０１とジョブ制御部１０２とストレス測定制御部１０３は、ＣＰＵ１００ａが動作することによって機能的に実現される構成部分である。
【００２８】
読み取り部１１０は、スキャナ等を備え、プラテンガラス上にセットされた原稿を走査することによって読み取り、読み取った原稿を画像データに変換するものである。
【００２９】
画像形成部１２０は、読み取り部１１０で読み取られた原稿の画像データやプリントデータから生成された複写画像を用紙上に印字するものであり、定着部１３０は用紙上に印字された複写画像を定着するものである。読み取り部１１０、画像形成部１２０及び定着部１３０等により、コピージョブを実行するジョブ実行手段が形成され、画像形成部１２０及び定着部１３０等により、プリントジョブを実行するジョブ実行手段が形成される。
【００３０】
記憶部１４０は、ハードディスク等からなり、プログラムや各種データ、例えばユーザーがログインする際の認証のための認証情報や心電位の測定データ等を記憶する。
【００３１】
表示部１５０は、例えば液晶画面からなりメッセージや各種の操作画面やストレス度の測定結果等を表示する。
【００３２】
入力部１６０はユーザーが設定値を入力してジョブの実行を指示したり、ストレス度の測定を行う際のユーザー固有のパラメータ等を入力するのに使用され、タッチパネルや、テンキー、スタートボタン等のハードキーからなる。
【００３３】
心電位測定部１７０は、ユーザーのストレス度を測定するために、ユーザーの心電位を測定するものであり、一対の電極１７２、１７３と、これらの電極１７２、１７３にそれぞれ両手を置いた状態で、指先の生体微小電圧信号を検出する電圧測定部１７１を備えている。
【００３４】
認証部１８０はユーザーがＭＦＰ１にログインするときに認証を行うものであり、ネットワークインターフェース部１９０は、他のＭＦＰやユーザーの端末装置等の外部装置との間で、ネットワークを介してデータの送受信を行うものである。
【００３５】
次に、図１に示したＭＦＰ１の動作を説明する。
【００３６】
ユーザーが認証を行いＭＦＰ１にログインすると、図２に示す初期画面が表示部１５０に表示される。ユーザーがストレス計測を行いたい場合は、画面上の「ストレス計測」ボタン１５１を押したのち、電極１７２及び１７３に両手を置くと、電圧測定部１７１により心電位が測定される。測定中は、図３に示すように「計測中」の文字と共に測定の進捗割合を示すインジケータ１５２が表示部１５０に表示される。
【００３７】
心電位の測定結果はストレス測定制御部１０３で周波数解析され、図  （Ｂ）で説明したように、周期性を有する低周波（ＬＦ）に高周波（ＨＦ）が重畳された状態となっている。
【００３８】
ストレス計測（心電位測定）中に例えばパーソナルコンピュータからなるユーザーの端末装置からのプリントジョブをＭＦＰ１が受け付けた場合、そのままジョブを実行すると、実行時のノイズによって心電位測定に悪影響を生じることから、何れか一方のみを実行する必要がある。パワースペクトラムの積算の比からストレスを計測するのに低周波の複数周期分が必要となる。しかし、複数周期分の測定データを取得するには時間がかかるため、ストレス計測の終了後にプリントジョブを実行するとなると、プリントジョブの完了までに時間がかかる場合がある。一方、心電位の測定を中断してプリントジョブを直ちに実行すると、測定中の１周期分がもうすぐ終了する場合であっても測定を中断しなければならないため、測定の連続性が失われ、その周期について既に取得されている測定データが無駄になる。
【００３９】
そこで、この実施形態では、ＭＦＰ１がストレス計測（心電位測定）中にプリントジョブ等を受け付けた場合に、以下のような制御を行う。これを図４〜図６で説明する。なお、以下の説明では低周波２周期分のデータが必要であるものとして説明するが、２周期分に限定されることはない。
【００４０】
図４（Ａ）（Ｂ）のように、心電位測定の開始後、低周波１周期分の途中のタイミングＴ１においてプリントジョブを受け付けたとすると、ジョブ制御部１０２はジョブ受付タイミングＴ１から現在測定中の１周期目の測定完了タイミングＴ２までの時間Ｔと、予め設定されている設定値ｔ１を比較する。時間Ｔが設定値ｔ１よりも大きい場合は、１周期目の測定完了まで時間がかかると考えられるから、心電位測定を中断して直ちにプリントジョブを実行する。つまり印刷エンジンを稼働して印字を行う。従って、プリントジョブの実行が長時間待たされることはない。この場合、ジョブの受け付けまでに測定された心電位のデータは無駄になるが、測定済みデータ量が少ないことを考え、プリントジョブを優先する。なお、測定完了タイミングＴ２の決定については後述する。
【００４１】
プリントジョブがタイミングＴ３で完了したとすると、このＴ３の時点から再度心電位測定を１周期目からやり直す。
【００４２】
一方、図５（Ａ）（Ｂ）のように、プリントジョブを受け付けた低周波１周期分の途中のタイミングＴ１から、現在測定中の１周期目の測定完了タイミングＴ２までの時間Ｔが、設定値ｔ１以下の場合は、１周期目の測定完了まで時間がかからないと考えられるから、心電位測定を継続して１周期目の測定を完了する。従って、１周期目の測定データを無駄にすることなくストレス計測に使用することができる。１周期目の測定完了後は、２周期目の測定を行うことなく測定を中断し、プリントジョブを実行する。このように、１周期目の測定完了後にプリントジョブは開始されるから、全ての測定が完了するまでジョブを実行できない場合に較べて、プリントジョブの待ち時間も短くできる。
【００４３】
プリントジョブがタイミングＴ３で完了したとすると、このＴ３の時点から心電位測定を再開する。１周期目の測定は完了しているので、この測定は２周期目となる。
【００４４】
このようにこの実施形態では、ジョブ受付タイミングＴ１から現在測定中の１周期目の測定完了タイミングＴ２までの時間Ｔと、予め設定されている設定値ｔ１を比較し、時間Ｔが設定値ｔ１よりも大きい場合は、心電位測定を中断して直ちにプリントジョブを実行し、設定値ｔ１以下の場合は心電位測定を継続して１周期目の測定を完了したのち、プリントジョブを実行する。つまり、ジョブ実行の待ち時間の長期化を回避しながら、心電位の測定データが無駄になってしまうのを抑制することができる。
【００４５】
なお、図４及び図５では、心電位測定の開始後、低周波１周期分の途中のタイミングにおいてプリントジョブを受け付けた場合を例示したが、２周期目の途中のタイミングにおいてプリントジョブを受け付けた場合であっても同様である。この場合は、ジョブの受け付けタイミングから現在測定中の２周期目の測定完了タイミングまでの時間Ｔを、設定値ｔ１と比較すれば良い。測定に必要な周期の数が３以上の場合も同様である。
【００４６】
図６はこの発明の他の実施形態を説明するための図である。心電位の最終周期の測定中にジョブの受け付けがなされた場合は、測定完了までやや時間がかかったとしても測定完了を優先したい場合がある。
【００４７】
そこで、この実施形態では、ジョブ受付タイミングＴ１から心電位の測定完了タイミングＴ４までの時間Ｔを考え、この時間Ｔと設定値ｔ２を比較するものである。限定はされないが、設定値ｔ２は設定値ｔ１よりも大きな値に設定されている。そして、時間Ｔが設定値ｔ２以下の場合は、心電位の測定完了を優先して測定を継続する。従ってこの場合、ユーザーはストレス計測結果を早期に知ることができる。なお、１周期目の途中にジョブを受け付けた場合のように、ジョブ受付タイミングＴ１から心電位の測定完了タイミングＴ４までの時間Ｔがｔ２よりも大きい場合は、図４及び図５で説明したのと同様に設定値ｔ１と比較して処理を行う。
【００４８】
図７は、現在測定中の周期の測定完了タイミングＴ２、あるいはストレス測定完了タイミングＴ４の決定方法についての説明図である。
【００４９】
この実施形態では、同図（Ｃ）に示すように、心電位のＲ波間隔を測定し、その測定データからＲ波間隔の変動周期における１周期分を、ジョブを受け付けたときに予測する。予測は正弦波近似を用いる。そして、同図（Ｂ）に示すように、予測された１周期分の値を用いて１周期の測定完了タイミングＴ２を決定し、あるいは１周期分の２倍の値を用いて２周期の測定完了タイミングを決定する。つまり、１周期分またはその整数倍の値を用いて、現在計測中の周期のストレス計測の完了タイミングまたは最終周期のストレス計測用データの取得完了タイミングを決定し、ジョブの受付タイミングＴ１と比較する。なお、現在計測中の周期のストレス計測の完了タイミングＴ２が到来したとき、Ｔ２−Ｔ１≦ｔ１であれば同図（Ａ）に示すように、プリントジョブの実行を開始するのは前述したとおりである。
【００５０】
なお、変動周期はユーザー毎にあるいは体調等によって異なるが、上記のような予測を用いることにより、周期の測定完了タイミングを容易にかつ的確に予測することができる。
【００５１】
図８は、ＭＦＰ１が、図４及び図５で説明した処理を実施する場合の動作を示すフローチャートである。この動作は、ＭＦＰ１のＣＰＵ１００ａがＲＯＭ１００ｂ等の記録媒体に格納された動作プログラムに従って動作することにより実行される。
【００５２】
ステップＳ０１で心電位の測定を開始した後、ステップＳ０２で、外部ネットワークからプリントジョブを受け付けたかどうかを調べる。プリントジョブを受け付けていない場合（ステップＳ０２でＮＯ）、ステップＳ０３でそのまま心電位の測定を継続する。
【００５３】
プリントジョブを受け付けている場合（ステップＳ０２でＹＥＳ）、ステップＳ０４で、心電位測定の進行状態とジョブ受付タイミングを比較する。つまり、プリントジョブの受付タイミングＴ１から、現在測定中の周期の測定完了タイミングＴ２までの時間Ｔが設定値ｔ１以下かどうかを判定する。
【００５４】
ステップＳ０５では、時間Ｔが設定値ｔ１以下かどうかつまりジョブ優先かどうかを判定し、ジョブ優先でない場合は（ステップＳ０５でＮＯ）、ステップＳ０６で、心電位測定を継続し、ステップＳ０７でジョブの実行タイミングが到来したかどうか、換言すればその周期の心電位測定が終了したかどうかを判定する。ジョブの実行タイミングが到来していなければ（ステップＳ０７でＮＯ）、ステップＳ０６に戻り心電位の測定を継続する。ジョブの実行タイミングが到来すると（ステップＳ０７でＹＥＳ）、ステップＳ０８で心電位測定を中断する。この際、ジョブを受け付けた時の１周期分の測定データは連続して取得されているから、データが無駄になることはない。なお、最後の周期のデータ測定中にジョブを受け付けた場合は、測定は完了する。
【００５５】
次いで、ステップＳ０９でジョブを実行した後、ステップＳ１０で、残りの心電位測定が必要な場合は、その測定を行う。
【００５６】
ステップＳ０５で、プリントジョブの受付タイミングＴ１から、現在測定中の周期の測定完了タイミングＴ２までの時間Ｔが設定値ｔ１よりも大きい場合、つまりジョブ優先の場合は、ステップＳ０８に進み、直ちに心電位測定を中断したのち、ステップＳ０９でジョブを実行する。そして、ステップＳ１０で、ジョブを受け付けた時の周期の測定データを含む残りの心電位を測定する。
【００５７】
図９は、ＭＦＰ１が、図６で説明した処理を実施する場合の動作を示すフローチャートである。この動作は、ＭＦＰ１のＣＰＵ１００ａがＲＯＭ１００ｂ等の記録媒体に格納された動作プログラムに従って動作することにより実行される。
【００５８】
ステップＳ２１で心電位の測定を開始した後、ステップＳ２２で、外部ネットワークからプリントジョブを受け付けたかどうかを調べる。プリントジョブを受け付けていない場合（ステップＳ２２でＮＯ）、ステップＳ２３でそのまま心電位の測定を継続する。
【００５９】
プリントジョブを受け付けている場合（ステップＳ２２でＹＥＳ）、ステップＳ２４で、心電位測定の完了タイミングを決定して、ジョブの受付タイミングから心電位測定の完了タイミングまでの時間、つまり心電位測定の残り時間Ｔを判定する。そして、ステップＳ２５で残り時間Ｔが設定時間ｔ２以下かどうかを判定する。残り時間Ｔが設定時間ｔ２以下であれば（ステップＳ２５でＹＥＳ）、ステップＳ２６でそのまま心電位の測定を継続し、ステップＳ２７で心電位の測定が完了したかどうかを判断する。完了していなければ（ステップＳ２７でＮＯ）、ステップＳ２６に戻る。完了していれば（ステップＳ２７でＹＥＳ）、ステップＳ２８でジョブを実行する。
【００６０】
ステップＳ２５において、残り時間Ｔが設定時間ｔ２以下でなければ（ステップＳ２５でＮＯ）、ステップＳ２９で、心電位測定の進行状態とジョブ受付タイミングを比較する。つまり、プリントジョブの受付タイミングＴ１から、現在測定中の周期の測定完了タイミングＴ２までの時間Ｔが設定値ｔ１以下かどうかを判定する。
【００６１】
ステップＳ３０では、時間Ｔが設定値ｔ１以下かどうかつまりジョブ優先かどうかを判定し、ジョブ優先でない場合は（ステップＳ３０でＮＯ）、ステップＳ３１で心電位測定を継続し、ステップＳ３２でジョブの実行タイミングが到来したかどうか、換言すればその周期の心電位測定が終了したかどうかを判定する。ジョブの実行タイミングが到来していなければ（ステップＳ３２でＮＯ）、ステップ３１に戻る。ジョブの実行タイミングが到来すると（ステップＳ３２でＹＥＳ）、ステップＳ３３で心電位測定を中断する。この際、ジョブを受け付けた時の１周期分の測定データは連続して取得されているから、データが無駄になることはない。
【００６２】
次いで、ステップＳ３４でジョブを実行した後、ステップＳ３５で、残りの心電位測定を行う。
【００６３】
ステップＳ３０で、プリントジョブの受付タイミングＴ１から、現在測定中の周期の測定完了タイミングＴ２までの時間Ｔが設定値ｔ１よりも大きい場合、つまりジョブ優先の場合は、ステップＳ３３に進み、直ちに心電位測定を中断したのち、ステップＳ３４でジョブを実行する。そして、ステップＳ３５で、ジョブを受け付けた周期の測定データを含む残りの心電位を測定する。
【符号の説明】
【００６４】
１      画像処理装置
１０１ａ  ＣＰＵ
１０１ｂ  ＲＯＭ
１０１ｃ  ＲＡＭ
１０１    全体制御部
１０２    ジョブ制御部
１０３    ストレス測定制御部
１４０    記憶部
１５０    表示部
１６０    入力部
１７０    心電位測定部
１７２、１７３  電極
【図１】
2018030276.tif 000003
【図２】
2018030276.tif 000004
【図３】
2018030276.tif 000005
【図４】
2018030276.tif 000006
【図５】
2018030276.tif 000007
【図６】
2018030276.tif 000008
【図７】
2018030276.tif 000009
【図８】
2018030276.tif 000010
【図９】
2018030276.tif 000011
【図１０】
2018030276.tif 000012
【図１１】
2018030276.tif 000013
【図１２】
2018030276.tif 000014
【図１３】
2018030276.tif 000015